(57)【要約】【課題】  外断熱層の外側に通気空間を形成してサイディングを張設して外断熱建物の外壁を構成する。【解決手段】  ブラケットＡの基板１０上方の透孔１１に樹脂製ファスナー１７の挿通ガイド１８を嵌め込み，挿通ガイド１８から外断熱層３を介して柱１にネジ１９を螺入して，樹脂製ファスナー１７の弾性によってブラケットＡを外断熱層３に圧着固定するとともに上向き及び下向き突起１３，１４に上下位の係合部２１，２２を引掛係合することによってブラケットＡ間にサイディング２０を架設するように横張り設置する。ブラケットＡは外断熱層３に点在配置され，その両端のスペーサー突起１５によって外断熱層３とサイディング２０間に通気空間４が形成される。【選択図】        図７
2006104742.tif 000002
【特許請求の範囲】
【請求項１】
外断熱層を介してその内側の建物構造材に対して基板を螺着又は釘着することによって外断熱層表面に点在配置したサイディング支持用のブラケットと，該ブラケットの下部幅方向に配置した一方の上向き突起に上位サイディングの下位係合部を載置係合し，他方の下向き突起に下位サイディングの上位係合部を引掛係合して長手方向に複数のブラケットに支持して張設したサイディングと，ブラケットの側端又はその面内に配置した外向き複数のスペーサー突起によって裏支えすることによって外断熱層とサイディング間に形成した通気空間とを備えてなることを特徴とする外断熱建物のサイディング外壁構造。
【請求項２】
上記基板の螺着又は釘着を，ブラケットの基板における上方１箇所としてブラケットを建物構造材に対して軸支することによってサイディングの支持を免震支持としてなることを特徴とする請求項１に記載の外断熱建物のサイディング外壁構造。
【請求項３】
上記基板の螺着又は釘着を，基板表面側に配置した中空円盤状の樹脂製ファスナーを介して該ファスナーを拡開扁平状に変形するように行なうことによって上記基板を外断熱層に対して弾圧面接状に圧着してなることを特徴とする請求項１又は２に記載の外断熱建物のサイディング外壁構造。
【請求項４】
上記ブラケットを金属製とし且つ上記樹脂製ファスナーに上記基板を貫通して基板裏面に突出するネジ又は釘の挿通ガイドを配置することによって上記基板とネジ又は釘との接触を回避してなることを特徴とする請求項１，２又は３に記載の外断熱建物のサイディング外壁構造。
【請求項５】
外断熱層を介してその内側の建物構造材に対して螺着又は釘着することによって外断熱層表面に点在配置してサイディングを支持するブラケットであって，基板と，該基板の下端幅方向に配置した上位サイディング下位係合部の載置係合用上向き突起及び下位サイディング上位係合部の引掛係合用下向き突起と，基板の側端又は面内に配置して上記外断熱層とサイディング間に通気空間を形成する外向き複数のスペーサー突起とを備えてなることを特徴とするサイディング支持用ブラケット。
【請求項６】
上記ブラケットを金属製とし且つ上記基板の螺着又は釘着を該基板を貫通して基板裏面に突出するネジ又は釘の挿通ガイドを具備した樹脂製ファスナーを備えて形成してなることを特徴とする請求項５に記載のサイディング支持用ブラケット。
【発明の詳細な説明】
【技術分野】
【０００１】
本発明は，外断熱建物にサイディングを張設することによって構成した外断熱建物のサイディング外壁構造及びこれに用いるサイディング支持用ブラケットに関する。
【背景技術】
【０００２】
建物の構造躯体の外側に断熱層を配置して高気密高断熱の外壁を有するようにした外断熱建物に外装材を張設するについて，本発明者は，内側の縦胴縁と外側の横胴縁を格子状に組むことによって形成した金属製の格子状下地を用い，該格子状下地を外断熱層を介してその内側の建物構造材に対して螺着又は釘着することによって外断熱層表面に該格子状下地を配置し，その外側の横胴縁の上下端に設置した上向き係合部に引掛係合することによって外装材を設置し，また格子状下地の縦胴縁に形成した外向き複数のスペーサー突起によって横胴縁を裏支えすることによって外断熱層とサイディング間に通気空間を形成するようにした，特に外装材をレンガとするに好適な外断熱建物の外壁構造を提案済みである。
【０００３】
【特許文献１】特願２００４−１２８３０７号公報
【発明の開示】
【発明が解決しようとする課題】
【０００４】
この場合，外断熱層に格子状下地を配置して，その横胴縁に外装材を引掛係合して該外装材を支持することによって外壁形成が可能となるから，外断熱建物における外装工事を大幅に省力化するとともに外装材を安定支持するものとなし得るが，該格子状下地は建物における外断熱層の全体に亘るように長尺多本数の縦胴縁と横胴縁を大量使用することによって下地コストが相当程度アップして，外壁工事が高価となる傾向を招き易い。一方窯業系，金属系等のサイディングは，レンガと異なり，一般に比較的幅広にして長尺の形態のものとされるから，上記格子状下地を使用することなく，このようなサイディングを外断熱建物に張設することが可能となし得れば，サイディング単独の建物はもとより，レンガとサイディング併用の建物等における外装工事のコストを低下させることができる。
【０００５】
本発明はかかる事情に鑑みてなされたもので，その解決課題とするところは，可及的に低コストにしてサイディングを安定支持し且つ外断熱層とサイディング間に通気空間を形成し得るようにした外断熱建物のサイディング外壁構造を提供するにあり，また該外壁構造のサイディングを支持する下地として好適に使用することができるサイディング支持用ブラケットを提供するにある。
【課題を解決するための手段】
【０００６】
上記課題に添って本発明は，サイディング支持の下地をなす専用ブラケットを用い，該ブラケットを外断熱層を介して建物構造材に螺着又は釘着することによって該外断熱層の表面に点在配置する一方，該ブラケットの下部に設置した上向き及び下向きの支持用突起によってこれに係合した上下に隣接する上下位サイディングを支持する構造とし，また該支持状態でブラケットに形成した外向き複数のスペーサー突起によって支持したサイディングをブラケットの基板から外側に浮かし状態とすることによって外断熱層とサイディング間に通気空間を形成するようにしたものであって，即ち請求項１に記載の発明を，外断熱層を介してその内側の建物構造材に対して基板を螺着又は釘着することによって外断熱層表面に点在配置したサイディング支持用のブラケットと，該ブラケットの下部幅方向に配置した一方の上向き突起に上位サイディングの下位係合部を載置係合し，他方の下向き突起に下位サイディングの上位係合部を引掛係合して長手方向に複数のブラケットに支持して張設したサイディングと，ブラケットの側端又はその面内に配置した外向き複数のスペーサー突起によって裏支えすることによって外断熱層とサイディング間に形成した通気空間とを備えてなることを特徴とする外断熱建物のサイディング外壁構造としたものである。
【０００７】
請求項２に記載の発明は，上記に加えて，ブラケットの建物構造材に対する螺着又は釘着を単一箇所のネジ又は釘による軸支によって行なうことにより，地震により建物構造材が振動した際に，サイディングを支持した点在配置のブラケットが建物構造材に対してそれぞれ揺動して外壁の免震性を確保し得るように，これを，上記基板の螺着又は釘着を，ブラケットの基板における上方１箇所としてブラケットを建物構造材に対して軸支することによってサイディングの支持を免震支持としてなることを特徴とする請求項１に記載の外断熱建物のサイディング外壁構造としたものである。
【０００８】
請求項３に記載の発明は，同じく上記に加えて，ブラケットの基板に弾性変形自在の円盤状樹脂製ファスナーを配置し，その螺着又は釘着を該樹脂製ファスナーを介してその加圧変形を招くように行って基板を外断熱層に弾圧面接状に圧着することによって，例えば基板が変形したり，基板が発泡樹脂面の外断熱層にめり込み状に設置されたりするのを防止するとともにサイディングの安定支持をなし得るものとするように，これを，上記基板の螺着又は釘着を，基板表面側に配置した中空円盤状の樹脂製ファスナーを介して該ファスナーを拡開扁平状に変形するように行なうことによって上記基板を外断熱層に対して弾圧面接状に圧着してなることを特徴とする請求項１又は２に記載の外断熱建物のサイディング外壁構造としたものである。
【０００９】
請求項４に記載の発明は，同じく上記に加えて，ブラケットをサイディング支持に適した金属製のものとする一方，上記樹脂ファスナーにネジ又は釘の挿通ガイドを配置して，該金属製とした基板に螺着又は釘着に使用したネジや釘が接触することによってサーマルブリッジが形成され外断熱建物の高断熱性が損われるのを防止するとともにこれらの間に電食が発生して耐久性が損われるのを防止したものとし得るように，これを，上記ブラケットを金属製とし且つ上記樹脂製ファスナーに上記基板を貫通して基板裏面に突出するネジ又は釘の挿通ガイドを配置することによって上記基板とネジ又は釘との接触を回避してなることを特徴とする請求項１，２又は３に記載の外断熱建物のサイディング外壁構造としたものである。
【００１０】
請求項５に記載の発明は，上記外壁構造に使用し外断熱層に点在配置することによってサイディングの安定支持と外断熱層とサイディング間の通気空間を形成し得るようにしたサイディング支持用のブラケットを提供するように，これを，外断熱層を介してその内側の建物構造材に対して螺着又は釘着することによって外断熱層表面に点在配置してサイディングを支持するブラケットであって，基板と，該基板の下端幅方向に配置した上位サイディング下位係合部の載置係合用上向き突起及び下位サイディング上位係合部の引掛係合用下向き突起と，基板の側端又は面内に配置して上記外断熱層とサイディング間に通気空間を形成する外向き複数のスペーサー突起とを備えてなることを特徴とするサイディング支持用ブラケットとしたものである。
【００１１】
請求項６に記載の発明は，上記に加えて，該ブラケットをサイディング支持に適した金属製としながら，該金属製の基板とネジ又は釘が接触することによるサーマルブリッジの形成と電食の発生を防止し得るものとするように，これを，上記ブラケットを金属製とし且つ上記基板の螺着又は釘着を該基板を貫通して基板裏面に突出するネジ又は釘の挿通ガイドを具備した樹脂製ファスナーを備えて形成してなることを特徴とする請求項５に記載のサイディング支持用ブラケットとしたものである。
【００１２】
本発明はこれらをそれぞれ発明の要旨として上記課題解決の手段としたものである。
【発明の効果】
【００１３】
本発明は以上のとおりに構成したから，請求項１に記載の発明は，サイディング支持の下地をなす専用ブラケットを用い，該ブラケットを外断熱層を介して建物構造材に螺着又は釘着することによって該外断熱層の表面に点在配置する一方，該ブラケットの下部に設置した上向き及び下向きの支持用突起によってこれに係合した上下に隣接する上下位サイディングを支持する構造とし，また該支持状態でブラケットに形成した外向き複数のスペーサー突起によって支持したサイディングをブラケットの基板から外側に浮かし状態とすることによって外断熱層とサイディング間に通気空間を形成し，可及的に低コストにしてサイディングを安定支持し且つ外断熱層とサイディング間に通気空間を形成し得るようにした外断熱建物のサイディング外壁構造を提供することができる。
【００１４】
請求項２に記載の発明は，上記に加えて，ブラケットの建物構造材に対する螺着又は釘着を単一箇所のネジ又は釘による軸支によって行なうことにより，地震により建物構造材が振動した際に，サイディングを支持した点在配置のブラケットが建物構造材に対してそれぞれ揺動して外壁の免震性を確保したものとすることができる。
【００１５】
請求項３に記載の発明は，同じく上記に加えて，ブラケットの基板に弾性変形自在の円盤状樹脂製ファスナーを配置し，その螺着又は釘着を該樹脂製ファスナーを介してその加圧変形を招くように行って基板を外断熱層に弾圧面接状に圧着することによって，例えば基板が変形したり，基板が発泡樹脂面の外断熱層にめり込み状に設置されたりするのを防止するとともにサイディングの安定支持をなし得るものとすることができる。
【００１６】
請求項４に記載の発明は，同じく上記に加えて，ブラケットをサイディング支持に適した金属製のものとする一方，上記樹脂ファスナーにネジ又は釘の挿通ガイドを配置して，該金属製とした基板に螺着又は釘着に使用したネジや釘が接触することによってサーマルブリッジが形成され外断熱建物の高断熱性が損われるのを防止するとともにこれらの間に電食が発生して耐久性が損われるのを
防止したものとすることができる。
【００１７】
請求項５に記載の発明は，上記外壁構造に使用し外断熱層に点在配置することによってサイディングの安定支持と外断熱層とサイディング間の通気空間を形成し得るようにしたサイディング支持用のブラケットを提供することができる。
【００１８】
請求項６に記載の発明は，上記に加えて，該ブラケットをサイディング支持に適した金属製としながら，該金属製の基板とネジ又は釘が接触することによるサーマルブリッジの形成と電食の発生を防止したものとすることができる。
【発明を実施するための最良の形態】
【００１９】
以下図面の例に従って本発明を更に具体的に説明すれば，Ａはサイディング２０支持用のブラケットであり，該ブラケットＡは，外断熱層３を介してその内側の建物構造材１，例えば柱又は間柱に対して螺着又は釘着することによって外断熱層３表面に点在配置してサイディング２０を支持するものとしてあり，基板１０と，該基板１０の下端幅方向に配置した上位サイディング２０下位係合部２２の載置係合用上向き突起１３及び下位サイディング２０上位係合部２１の引掛係合用下向き突起１４と，基板１０の側端又は面内，本例にあっては側端に配置して上記外断熱層３とサイディング２０間に通気空間４を形成する外向き複数のスペーサー突起１５とを備えたものとしてあり，このとき本例にあって上記ブラケットＡは，これを金属製とし且つ上記基板１０の螺着又は釘着を該基板１０を貫通して基板１０裏面に突出するネジ又は釘の挿通ガイド１８を具備した樹脂製ファスナー１７を備えて形成したものとしてある。
【００２０】
本例のブラケットＡは，例えば建物構造材１の柱又は間柱の幅を基準としてこれと同等程度乃至それ以上の幅寸法を有し且つサイディング２０をその下端で支持したときにサイディング２０荷重によって基板１０が外断熱層３側にめり込み状に傾斜するのを防止して外断熱層３に対して垂直な面接状態を維持し得るように面圧を確保するに適した長さ寸法を有するものとしてあり，本例のブラケットＡは，例えば幅を５〜１０ｃｍ程度，長さを，例えば１０〜１５ｃｍ程度とした上下に長い正面略矩形のものとし，耐食性に優れた金属，例えば亜鉛鍍金鋼板，ガルバニウム鋼板等の鋼板やアルミ合金の押出形材等に適宜の曲げ加工，穴あけ加工等のプレス加工を施すことによってこれを形成したものとしてある。
【００２１】
本例にあって該ブラケットＡは，鋼板，特にガルバニウム鋼板にプレス加工を施してこれを形成してあり，このとき曲げ部分はＲ面をなすように湾曲するようにしてエッジが生じることによって表面処理面の破壊やこれによる耐食性の低下を防止してサイディング２０支持の耐久性を確保してあり，またフェノール樹脂系のように触媒によって酸性の表面をなす一部の断熱材による外断熱層に接触しても腐食を防止し得るように，外断熱層と接触する基板１０裏面に焼付塗装面を形成して耐食性の低下を防止して同じく耐久性を確保したものとしてある。
【００２２】
本例のブラケットＡにおける基板１０は，例えば垂直な平坦面をなすものとし，上向き及び下向き突起は，中央に上向き突起１３を，両側に下向き突起１４を配置するように幅方向に並置して正面側に突出配置したものとしてあり，本例にあってこれら上向き及び下向き突起１３，１４はそれぞれ基板１０下端からＬ字状乃至Ｃ字状等に正面側に上向き又は下向きの受入溝を形成したものとしてある。また本例のスペーサー突起１５は上記基板１０の両側の側端にそれぞれ外向きの倒Ｌ字状をなすように該基板１０から外側に立上げ配置した平坦にして両側一対のサイディング受面１６を備えたものとしてあり，このとき本例の上記基板１０には，その幅方向中間，特に幅方向中央線上にしてその上端から数ｃｍ程度離れた上方位置を螺着又は釘着位置とするようにそのための透孔１１を形成してあり，このとき本例の透孔１１は，これを螺着又は釘着に用いるネジ又は釘の径より径大にして上記樹脂製ファスナー１７の挿通ガイド１８の外径に合せた径大の透孔としてある。該透孔１１による螺着又は釘着位置は，これをその透孔１１からサイディング２０支持位置までの間隔を，例えば５ｃｍ程度以上，好ましくは１０ｃｍ程度確保すれば，一般に窯業系又は金属系のサイディング２０の支持を，上記外断熱層３に対する垂直な面接状態を維持したものとすることができる。
【００２３】
樹脂ファスナー１７は，強度と弾発性を備えることによって螺着又は釘着によって加圧変形自在の，例えばナイロン，ポリウレタン等適宜の合成樹脂を射出成形して中空円盤状に一体成形した，例えば径を，ブラケットＡの上記スペーサー突起１５間の幅より幾分小径の４．５ｃｍ程度，肉厚を４ｍｍ程度としたものとしてあり，その中央位置に螺着又は釘着用の透孔を裏面側に筒状に延長するように上記挿通ガイド１８を一体に備えたものとしてある。
【００２４】
このように形成したブラケットＡを用いた外断熱建物のサイディング外壁構造は，該ブラケットＡを，外断熱層３を介してその内側の建物構造材１に対して基板１０を螺着又は釘着することによって外断熱層３表面に点在配置したものとし，該ブラケットＡの下部幅方向に配置した一方の上向き突起１３に上位サイディング２０の下位係合部２２を載置係合し，他方の下向き突起１４に下位サイディング２０の上位係合部２１を引掛係合して長手方向に複数のブラケットＡに支持してサイディング２０を横張りしてその張設を行なったものとし，このときブラケットＡの側端又はその面内に配置した外向き複数のスペーサー突起１５を介設することによって外断熱層３とサイディング２０間に通気空間４を形成したものとしてある。
【００２５】
即ち本例の外断熱建物は，例えば建物構造材１の表面にベースをなす合板２を張設配置し，その外側に，例えばフェノール系，ウレタン系等適宜の発泡樹脂製パネルを張設配置して外断熱層３とし，更にその外側に通気空間４を介してサイディング２０を張設配置したものとして高断熱高気密にして外断熱層３とサイディング２０との間で通気性を確保した外壁構造のものとしてあり，このとき本例にあってサイディング２０は，例えば高さを４５ｃｍ程度，長さを３ｍ程度とした幅広長尺にして横張り用の窯業系乃至金属系のものとし，その上下端にそれぞれ上位係合部２１及び下位係合部２２を一体に具備したものを用いてある。
【００２６】
本例の上位係合部２１は，内側に上方に向けて突出した突条を備えることによって段部をなすものとし，また下位係合部２２は，奥行方向中間位置に配置したＶ字状溝を挟んで外側に上記上位係合部２１の段部上面に対接する長寸の突条を，内側に上記上位係合部２１の内側の突条上面に対接する短寸の突条をそれぞれ下向きに突出して上記上位係合部２１の段部と対をなすものとしてあり，これによってこれら上下位係合部２１，２２はサイディング同士の表面を上下に面一とするように相互に合决り係合することによって壁面を形成するものとしてある。
【００２７】
上記外断熱層３に対するブラケットＡの点在配置は，ブラケットＡ下端の上向き突起１３及び下向き突起１４が上下位サイディング２０の係合部２１，２２の位置において上下方向にサイディング２０の高さ間隔に，また左右方向に建物構造材１の柱又は間柱のピッチに合せた幅間隔に，例えばサイディング２０支持用に外断熱層３表面に格子状マトリックスを仮想しその各交点位置にブラケットＡが位置する如くに基板１０を外断熱層３を介して建物構造材１に螺着又は釘着することによってこれを行ってある。
【００２８】
このとき基板１０の螺着又は釘着は，これを，ブラケットＡの基板１０における上方１箇所としてブラケットＡを建物構造材１に対して軸支することによってサイディング２０の支持を免震支持したものとしてあり，またこの螺着又は釘着は，これを，基板１０表面側に配置した中空円盤状の樹脂製ファスナー１７を介して該ファスナー１７を拡開扁平状に変形するように行なうことによって上記基板１０を外断熱層３に対して弾圧面接状に圧着し，更に上記樹脂製ファスナー１７に配置した上記挿通ガイド１８を上記基板１０を貫通して該基板１０裏面に突出することによって上記基板１０とネジ又は釘との接触を回避したものとしてある。
【００２９】
即ち各ブラケットＡは，それぞれブラケットＡの基板１０における透孔１１に樹脂製ファスナー１７の挿通ガイド１８を挿入嵌合し，該挿通ガイド１８にネジ又は釘，本例にあってはネジ１９を挿入し柱又は間柱に対してこれを螺入することによってその固定を行ってあり，このときネジ１９の螺入につれて中空円盤状の樹脂製ファスナー１７は，その中央位置で加圧されて次第に扁平拡開状に変形する結果，ブラケットＡの基板１０が外断熱層３に対して弾圧面接状に圧着され，例えば基板１０が変形したり，該基板１０が発泡樹脂面の外断熱層３にめり込み状に設置されたりするのを防止し得るものとしてあり，また本例にあって樹脂製ファスナー１７の径は，これを，ブラケットＡの上記スペーサー突起１５間の幅より幾分小径のものとしてあるから，該樹脂製ファスナー１７が扁平拡開状に変形してその外周端がブラケットＡ両側側端のスペーサー突起１７に当接することによってブラケットＡの外断熱層３に対する好ましい圧着が得られるようにしてあり，従ってネジ１９の締付けに際してファスナー１７の変形程度を常時目視しながら螺着作業を行なうことができ，ネジ１９の締付けが不足したり，過度となったりすることによるブラケットＡの設置不良を解消して，適切な弾圧面接状の圧着状態を容易且つ作業性よく確保可能としてある。
【００３０】
またネジ１９は，挿通ガイド１８に挿入して螺着を行なうから，ネジ１９が金属製の基板１０に接触して外気温のブラケットＡからネジ１９がサーマルブリッジとなって建物構造材１に外気温が伝導されるのを防止するとともにネジ１９と金属製とした基板１０との電食の発生を防止することができる。
【００３１】
サイディング２０は，その下位係合部２２，特にその内側短寸の突条を，各ブラケットＡの下端幅方向中央の上向き突起１３の受入溝に嵌合するように載置する一方，上位係合部２１，特にその内側の突条を，ブラケットＡの下端幅方向両側の下向き突起１４の受入溝に嵌合するように挿入することによって，その上下方向を点在配置の上下に位置するブラケットＡに，長手方向を点在配置した建物構造材１の柱及び間柱毎に左右に位置するブラケットＡにそれぞれ架設するように支持して，その張設を行うとともに上下方向に隣接する上下位係合部２１，２２を合决り係合することによって壁面を形成したものとしてある。
【００３２】
サイディング外壁形成の具体的方法は，ブラケットＡの上向き及び下向き突起１３，１４とサイディング２０の上下位係合部２１，２２の形状，寸法，係合の形態等に応じて，例えば外断熱層３にブラケットＡを点在配置した後にサイディング２０を順次設置して支持するブラケット点在配置先行の方法と，ブラケットＡの点在配置とサイディング２０の設置を順次行なってサイディング２０を支持する順次点在配置の方法とを選択的に採用し得るが，上記ブラケットＡの上向き及び下向き突起１３，１４に受入溝を配置し，これにサイディング２０の上下位係合部２１，２２を嵌合することによってサイディング２０の支持を行なう構造とした本例にあっては，後者の順次点在配置の方法によるのが，ブラケットＡとサイディング２０間に遊びを生じることなく，サイディング２０を確実強固に支持する上で好ましい。
【００３３】
該順次点在配置の方法によって本例の外壁形成を説明すれば，例えば外断熱層３の最下位サイディング２０設置の下位係合部２２とブラケットＡの上向き突起１３とを合わせるように建物構造材１の柱及び間柱位置にサイディング２０長手方向に複数のブラケットＡを配置し，サイディング２０の下位係合部２２を各ブラケットＡの上向き突起１３に載置して引掛係合し，次いで該サイディング２０の上位係合部２１にブラケットＡの下向き突起１４を被嵌するように引掛係合して同様に建物構造材１の柱及び間柱位置にサイディング２０長手方向に複数のブラケットＡを配置し，更に該複数のブラケットＡの上向き突起１３に隣接する上位サイディング２０の下位係合部２２を載置して引掛係合し，順次これを繰返し下方から上方に向けてサイディング２０を横張りしてその張設を行なうものとしてある。
【００３４】
本例の外壁は，格子状下地に代えて点在配置のブラケットＡを使用し，またこれに一体に形成した幅方向に並置した上向き及び下向き突起１３，１４によってブラケットＡの下部においてサイディング２０の上下位係合部２１，２２を嵌合して引掛係合するものとしたことによって，該サイディング２０の支持が確実強固にして長期に安定したものとなるとともにサイディング２０の張設に使用される釘等の金具が壁面に露出することもなく外観を良好にしたものとすることができる。またブラケットＡにスペーサー突起１５を配置したことによって，ブラケットＡ以外に胴縁等を使用することなく，該スペーサー突起１５が外断熱層３とサイディング２０間の通気空間４を自動的に形成するものとなり，上記上方１箇所の軸支による免震性の確保，基板１０とネジ又は釘の非接触によるサーマルブリッジ及び電食発生の防止によって耐久性を確保したものとすることができ，更にブラケットＡの螺着又は釘着やサイディング２０の張設も熟練を必要とすることなく容易に作業性よく行なうことができる。
【００３５】
図中１２は，本例にあって基板１０における上記透孔１１の下位に透設した螺孔又は釘孔であり，螺着又は釘着による上記免震支持をすることなく，ブラケットＡを強固に固定する必要があるときに上記螺着又は釘着に加えてネジ又は釘によって同様に外断熱層３を介して建物構造材１に固定するために使用するネジ又は釘用の透孔，３０は，本例にあって異種の外装材を用いることによって外壁デザインを向上するようにサイディング２０下方に上記格子状下地３１を用いて部分的に設置し，サイディング２０との境界部分のタイル３２をブラケットＡの下向き突起１４によって支持するようにしたタイル壁を示す。
【００３６】
図示した例は以上のとおりとしたが，ブラケットのスペーサー突起を基板の面内に部分的に起立設置したものとすること，樹脂製ファスナーを使用することなく，上記基板の透孔位置に螺孔又は釘孔を設置して該位置を螺着又は釘着位置とすること，ブラケットにおける上向き及び下向き突起とサイディングにおける上下係合部の係合状態を変化することによって点在配置したブラケットに対してサイディングを後付的にけんどん状に配置し得るようにすること，ブラケットの固定を釘着によるものとすること，ブラケットの基板における螺着又は釘着を基板の上方１箇所の軸支として免震支持するとき，軸支位置の下方に，例えば軸支位置を中心とする円弧のスリット内で更に螺着又は釘着を施して，該螺着又は釘着を揺動可能とし，免震性を損わずに固定の確実性を向上すること等を含めて，本発明の実施に当って外断熱層，ブラケット，その上向き又は下向き突起，スペーサー突起，サイディング，その上下位係合部，通気空間，必要に応じて用いる樹脂製ファスナー，その挿通ガイド等の各具体的形状，構造，寸法，材質，これらの関係，これらに対する付加，外壁形成の方法等は，上記発明の要旨に反しない限り様々な形態のものとすることができる。
【図面の簡単な説明】
【００３７】
【図１】ブラケットの正面図である。
【図２】ブラケットの平面図である。
【図３】ブラケットの側面図である。
【図４】ブラケットと樹脂ファスナーの斜視図である。
【図５】外壁の部分拡大横断面図である。
【図６】外壁の部分縦断面図である。
【図７】図６の部分拡大図である。
【符号の説明】
【００３８】
Ａ  ブラケット
１  建物構造材
２  合板
３  外断熱層
４  通気空間
１０  基板
１１  透孔
１３  上向き突起
１４  下向き突起
１５  スペーサー突起
１７  樹脂製ファスナー
１８  挿通ガイド
１９  ネジ
２０  サイディング
２１  係合部
【図１】
2006104742.tif 000003
【図２】
2006104742.tif 000004
【図３】
2006104742.tif 000005
【図４】
2006104742.tif 000006
【図５】
2006104742.tif 000007
【図６】
2006104742.tif 000008
【図７】
2006104742.tif 000009